(57)【要約】【課題】スカムを十分に掻き寄せると共に、駆動軸における歯飛びを抑制することができる汚泥掻寄機を提供すること。【解決手段】一対のチェーン２，２が、第１従動軸３及び第２従動軸４によって槽１の底に沿うように張設されると共に、第３従動軸５及び駆動軸６によって槽１の水面に沿うように張設されている汚泥掻寄機１００において、駆動軸６を第３従動軸５の下流側に配置し、これにより、チェーン２，２を、下流側に配置された駆動軸６により引っ張り、駆動軸６と第３従動軸５との間でチェーン２のたるみを抑制する。また、第１従動軸３を第２従動軸４の上流側に配置し、これにより、駆動軸６から下方に配置された第１従動軸３に向けてチェーン２，２を駆動し、駆動軸６と第１従動軸３との間で、チェーン２，２をその自重によりたわませ、チェーン２を駆動用スプロケット６Ａに良好に噛み込ませる。【選択図】図１
2012232251.tif 000002
【特許請求の範囲】
【請求項１】
槽の底に堆積した堆積物及び前記槽の水面に浮遊したスカムを掻き寄せる掻寄羽根が周回方向に沿って複数取り付けられた一対の無端チェーンを備え、前記一対の無端チェーンは、前記槽の下部に平行に離間配置された第１従動軸及び第２従動軸によって前記槽の底に沿うように張設されると共に、前記第１従動軸及び前記第２従動軸の上方に平行に離間配置された第３従動軸及び駆動軸によって前記槽の水面に沿うように張設されている汚泥掻寄機であって、
前記第１従動軸は、前記無端チェーンの周回方向において前記第２従動軸の上流側に配置され、
前記駆動軸は、前記無端チェーンの周回方向において前記第３従動軸の下流側に配置され、その外周に取り付けられた駆動用スプロケットホイールを介して前記一対の無端チェーンを前記第１従動軸に向けて駆動すること、
を特徴とする汚泥掻寄機。
【請求項２】
前記駆動軸と当該駆動軸を駆動するためのモータとの間には、前記槽の内部に配置され、前記モータから前記駆動軸に伝達されるトルクを中継する水中駆動伝達軸が設けられていることを特徴とする請求項１に記載の汚泥掻寄機。
【発明の詳細な説明】
【技術分野】
【０００１】
本発明は、汚泥掻寄機に関する。
【背景技術】
【０００２】
従来、沈殿池等の槽の底に堆積した汚泥等の堆積物を掻き寄せると共に、水面に浮遊したスカムを掻き寄せる汚泥掻寄機が知られている。例えば、以下の特許文献１に記載のいわゆる四軸タイプのチェーンフライト式汚泥掻寄せ機では、フライト（掻寄羽根）を複数有する無端チェーンが、槽の下部に離間配置された２本の従動軸により槽の底面に沿うように張設されると共に、槽の上部に離間配置された駆動軸及び従動軸により槽の水面に沿うように張設されている。槽の上部に配置された軸のうち、駆動軸は無端チェーンの周回方向における上流側に配置され、従動軸は下流側に配置されており、これら駆動軸と従動軸との間には、フライトを介して無端チェーンを案内するためのガイドレールが設けられている。そして、ガイドレールの駆動軸寄りの部分は欠落されて欠落部となっており、この欠落部において無端チェーンをその自重により垂れ下げることで当該無端チェーンにテンションを与え、駆動軸から下流側の従動軸に向けて無端チェーンを送り出す際に、駆動軸に設けられたスプロケットホイールの歯部に無端チェーンを確実に噛み合わせることができ、歯飛びを生じることがないとしている。
【先行技術文献】
【特許文献】
【０００３】
【特許文献１】特開２００５−２２４６６５号公報
【発明の概要】
【発明が解決しようとする課題】
【０００４】
しかしながら、上述の汚泥掻寄せ機では、欠落部において無端チェーンが自重により垂れ下がってしまうため、欠落部においては水面に浮遊したスカムをフライトで掻き寄せることができず、スカムを十分除去できないおそれがある。
【０００５】
本発明は、スカムを十分に掻き寄せると共に、駆動軸における歯飛びを抑制することができる汚泥掻寄機を提供することを目的とする。
【課題を解決するための手段】
【０００６】
本発明に係る汚泥掻寄機は、槽の底に堆積した堆積物及び槽の水面に浮遊したスカムを掻き寄せる掻寄羽根が周回方向に沿って複数取り付けられた一対の無端チェーンを備え、一対の無端チェーンは、槽の下部に平行に離間配置された第１従動軸及び第２従動軸によって槽の底に沿うように張設されると共に、第１従動軸及び第２従動軸の上方に平行に離間配置された第３従動軸及び駆動軸によって槽の水面に沿うように張設されている汚泥掻寄機であって、第１従動軸は、無端チェーンの周回方向において第２従動軸の上流側に配置され、駆動軸は、無端チェーンの周回方向において第３従動軸の下流側に配置され、その外周に取り付けられた駆動用スプロケットホイールを介して一対の無端チェーンを第１従動軸に向けて駆動することを特徴とする。
【０００７】
本発明によれば、チェーンスプロケット式の汚泥掻寄機において、駆動軸が第３従動軸の下流側に配置されているため、水面に浮遊したスカムの掻き寄せ行う駆動軸と第３従動軸との間では、一対の無端チェーンが、下流側に配置された駆動軸により引っ張られる。これにより、駆動軸と第３従動軸との間では無端チェーンのたるみが抑制され、水面に浮遊したスカムを十分に掻き寄せることができる。また、駆動軸は当該駆動軸の下方に配置された第１従動軸に向けて無端チェーンを駆動するため、無端チェーンの送り出しを行う駆動軸と第１従動軸との間では、一対の無端チェーンがその自重によりたわむ。これにより、無端チェーンが駆動用スプロケットに良好に噛み込むことになり、駆動軸における歯飛びを抑制することができる。
【０００８】
ここで、駆動軸と当該駆動軸を駆動するためのモータとの間には、槽の内部に配置され、モータから駆動軸に伝達されるトルクを中継する水中駆動伝達軸が設けられていることが好ましい。こうすると、駆動軸とモータとが比較的離れた位置に配置されている場合に、モータから駆動軸にトルクを良好に伝達することができる。
【発明の効果】
【０００９】
本発明によれば、スカムを十分に掻き寄せると共に、駆動軸における歯飛びを抑制することができる汚泥掻寄機を提供することができる。
【図面の簡単な説明】
【００１０】
【図１】本発明の第１実施形態に係る汚泥掻寄機を示す概略正面図である。
【図２】本発明の第２実施形態に係る汚泥掻寄機を示す概略正面図である。
【発明を実施するための形態】
【００１１】
以下、図面を参照しつつ本発明の汚泥掻寄機の好適な実施形態について詳細に説明する。なお、同一又は相当要素には、同一の符号を付し、重複する説明は省略する。
【００１２】
図１は、本発明の第1実施形態に係る汚泥掻寄機を示す概略正面図である。図１に示すように、汚泥掻寄機１００は、沈殿池等の槽１の底に堆積した汚泥等の堆積物を掻き寄せると共に、水面に浮遊したスカムを掻き寄せる、いわゆるチェーンフライト式の汚泥掻寄機であり、槽１の内部に設けられている。
【００１３】
汚泥掻寄機１００は、槽１内を周回する一対のチェーン（無端チェーン）２，２を備えており、この一対のチェーン２，２は、槽１の幅方向（紙面垂直方向）に離間し対向して設けられている。チェーン２には、槽１の底に堆積した汚泥等の堆積物を掻き寄せると共に、水面に浮遊したスカムを掻き寄せるためのフライト（掻寄羽根）２Ａが周回方向に沿って複数取り付けられており、フライト２Ａの端部がそれぞれチェーン２，２に連結されている。槽１の下部一方側（紙面右側）には、第１従動軸３が設けられており、この第１従動軸３には、幅方向に離間して一対の第１スプロケット３Ａ，３Ａが取り付けられている。また、下部他方側（紙面左側）には、第２従動軸４が第１従動軸３と平行に離間して設けられており、この第２従動軸４には、幅方向に離間して一対の第２スプロケット４Ａ，４Ａが取り付けられている。そして、チェーン２は、その一部が槽１の底に沿うように第１スプロケット３Ａ及び第２スプロケット４Ａに掛け渡されて張設されている。
【００１４】
槽１の上部他方側、すなわち第２従動軸４の上方には、第３従動軸５が設けられており、この第３従動軸５には、幅方向に離間して一対の第３スプロケット５Ａ，５Ａが取り付けられている。また、槽１の上部略中央部には、駆動軸６が第３従動軸５に平行に離間して設けられており、この駆動軸６には、幅方向に離間して一対の駆動用スプロケット（駆動用スプロケットホイール）６Ａ，６Ａが取り付けられている。そして、第１スプロケット３Ａ及び第２スプロケット４Ａに掛け渡されたチェーン２は、さらに第３スプロケット５Ａ及び駆動用スプロケット６Ａに掛け渡されて張設され、第３スプロケット５Ａと駆動用スプロケット６Ａとの間の部分は、槽１内に形成されている水面に沿うようにされている。
【００１５】
駆動軸６は、一対の駆動用スプロケット６Ａ，６Ａを介して一対のチェーン２，２を駆動するためのものであり、駆動用スプロケット６Ａの一方の外側端部（ここでは、図示奥側）には、軸回転用スプロケット６Ｂが設けられている。槽１の上面外側の略中央部には、上述の軸回転用スプロケット６Ｂを介して駆動軸６を回転させるためのモータ７が配置されている。また、槽１の上面であって、モータ７の側方で軸回転用スプロケット６Ｂの上方には、開口１Ａが設けられている。そして、モータ７の駆動スプロケット７Ａと、駆動軸６の軸回転用スプロケット６Ｂとの間には、開口１Ａを通じて駆動用チェーン８Ａが掛け渡されている。
【００１６】
駆動軸６の近傍には、第３従動軸５と駆動軸６との間でフライト２Ａにより掻き寄せられたスカムを回収するためのスカムスキマ９が設けられている。このスカムスキマ９は、開閉可能な回収口を必要に応じて開閉させることで、スカムを回収できるようになっている。
【００１７】
なお、駆動軸６と第３従動軸５との間には、フライト２Ａを介してチェーン２を下から支持し水平方向に案内する一対のリターンレールＲ，Ｒが、幅方向に対向し水平方向に延在している。また、第１従動軸３と第２従動軸４との間には、駆動軸６からのチェーン２をフライト２Ａを介して下から支持し水平方向に案内する一対のガイドレールＧ，Ｇが、幅方向に対向し水平方向に延在している。
【００１８】
このような汚泥掻寄機１００では、モータ７により駆動用チェーン８Ａを介して駆動軸６を紙面時計回りに回転させ、これにより、駆動用スプロケット６Ａ，６Ａを介して一対のチェーン２，２を駆動軸６、第１従動軸３、第２従動軸４、第３従動軸５の順番に槽１内を周回させる。チェーン２の周回に伴い、フライト２Ａを槽１の底及び水面に沿って移動させ、槽１の底に堆積した汚泥等の堆積物を掻き寄せて槽１の底に設けられた収集ピット１Ｂ（図１参照）に収集すると共に、水面に浮上したスカムを掻き寄せてスカムスキマ９で回収する。
【００１９】
ここで、特に本実施形態の汚泥掻寄機１００にあっては、駆動軸６が第３従動軸５の下流側に配置されているため、水面に浮遊したスカムの掻き寄せ行う駆動軸６と第３従動軸５との間では、一対のチェーン２，２が、下流側に配置された駆動軸６により引っ張られる。これにより、駆動軸６と第３従動軸５との間では、チェーン２のたるみが抑制され、水面に浮遊したスカムを十分に掻き寄せることができる。
【００２０】
また、汚泥掻寄機１００では、駆動軸６は当該駆動軸６の下方に配置された第１従動軸３に向けてチェーン２を駆動するため、チェーン２の送り出しを行う駆動軸６と第１従動軸３との間では、一対のチェーン２，２がその自重によりたわむ。これにより、チェーン２が駆動用スプロケット６に良好に噛み込むことになり、駆動軸６における歯飛びを抑制することができる。
【００２１】
ここで、防錆対策等によりＦＲＰ（Fiber Reinforced Plastic）等のプラスチック製のチェーンが用いられている場合、初期伸びや水潤による伸び等により、チェーンのたるみが発生しやすい。また、プラスチック製のチェーンが用いられている場合、チェーンが比較的軽量であるため、チェーンが駆動用スプロケットに噛合し難く、歯飛びが問題になりやすい。従って、本発明は、プラスチック製のチェーンが用いられている汚泥掻寄機において、特に効果を発揮する。
【００２２】
次に、本発明の第２実施形態に係る汚泥掻寄機について説明する。
【００２３】
図２は、本発明の第２実施形態に係る汚泥掻寄機を示す概略正面図である。この第２実施形態に係る汚泥掻寄機２００では、モータ７及び開口１Ａは、槽１の上面の他方側、すなわち、第３従動軸５の上方に位置しており、これにより、モータ７と駆動軸６とが比較的離れた位置に配置されている。そして、この第２実施形態にあっては、槽１内に設けられた第１水中駆動伝達軸１０及び第２水中駆動伝達軸２０により、モータ７から駆動軸６に伝達されるトルクを中継する。
【００２４】
具体的には、第１水中駆動伝達軸１０は、第３従動軸５より他方側（紙面左側）であって、槽１内の上下方向略中央部に設けられている。この第１水中駆動伝達軸１０には、第１伝達スプロケット１０Ａが設けられており、この第１伝達スプロケット１０Ａと、モータ７の駆動スプロケット７Ａとの間には、第１駆動用チェーン８Ｂが掛け渡されている。また、第１水中駆動伝達軸１０には、第１伝達スプロケット１０Ａと槽１の幅方向（紙面垂直方向）に離間配置された第２伝達スプロケット１０Ｂが設けられている。
【００２５】
第２水中駆動伝達軸２０は、駆動軸６の下方であって、第１水中駆動伝達軸１０と同様な高さに設けられている。この第２水中駆動伝達軸２０には、第３伝達スプロケット２０Ａが設けられており、この第３伝達スプロケット２０Ａと、上述の第１水中駆動伝達軸１０の第２伝達スプロケット１０Ｂとの間には、第２駆動用チェーン８Ｃが掛け渡されている。また、第２水中駆動伝達軸２０には、第３伝達スプロケット２０Ａと幅方向に離間配置された第４伝達スプロケット２０Ｂが設けられており、この第４伝達スプロケット２０Ｂと、駆動軸６の軸回転用スプロケット６Ｂとの間には、第３駆動用チェーン８Ｄが掛け渡されている。
【００２６】
そして、汚泥掻寄機２００では、モータ７により第１駆動用チェーン８Ｂ、第１水中駆動伝達軸１０、第２駆動用チェーン８Ｃ、第２水中駆動伝達軸２０、及び第３駆動用チェーン８Ｄを介して、駆動軸６を紙面時計回りに回転させ、これにより、第１実施形態に係る汚泥掻寄機１００と同様に、駆動用スプロケット６Ａ，６Ａを介して一対のチェーン２，２を駆動軸６、第１従動軸３、第２従動軸４、第３従動軸５の順番に槽１内を周回させ、フライト２Ａにより、堆積物及びスカムの掻き寄せを行う。
【００２７】
このような汚泥掻寄機２００は、第１実施形態に係る汚泥掻寄機１００と同様な効果を奏する。加えて、汚泥掻寄機２００では、駆動軸６と当該駆動軸６を駆動するためのモータ７との間には、槽１の内部に配置され、モータ７から駆動軸６に伝達されるトルクを中継する第１水中駆動伝達軸１０及び第２水中駆動伝達軸２０が設けられているため、駆動軸６とモータ７とが比較的離れた位置に配置されている本実施形態においても、モータ７から駆動軸６にトルクを良好に伝達することができる。また、汚泥掻寄機２００では、従来の開口１Ａをそのまま利用して汚泥掻寄機２００を駆動できる。
【００２８】
以上、本発明の汚泥掻寄機に係る実施形態について説明したが、本発明は上記実施形態に限定されない。例えば、第２実施形態では、水中駆動伝達軸は２本設けられているが、１本でも良く、さらに２本以外の複数本であっても良い。
【００２９】
また、第２実施形態では、槽１は、汚泥掻寄機２００が一つのみ設けられた一段タイプの槽としているが、槽の内部を上下方向に複数区画に分け、各区画それぞれに汚泥掻寄機を設けた複数段タイプの槽とし、下段の汚泥掻寄機の駆動軸を駆動するための水中駆動伝達軸を追加して設けても良い。この場合、槽の外部に配置されているモータからの駆動用チェーンを下段の汚泥掻寄機の駆動軸に掛け渡す際に、槽の側壁に開口を設ける等の複雑な構成を採ることなく、良好にモータからのトルクを下段の駆動軸に伝達することができる。
【符号の説明】
【００３０】
１…槽、２…チェーン（無端チェーン）、２Ａ…フライト（掻寄羽根）、３…第１従動軸、４…第２従動軸、５…第３従動軸、６…駆動軸、６Ａ…駆動用スプロケット（駆動用スプロケットホイール）、７…モータ、１０…第１水中駆動伝達軸、２０…第２水中駆動伝達軸、１００，２００…汚泥掻寄機。
【図１】
2012232251.tif 000003
【図２】
2012232251.tif 000004